(57)【要約】【課題】ＨＦＯ１１２３を含む作動媒体を用いた冷凍サイクル装置の不均化反応発生時の信頼性の向上。【解決手段】圧縮機１６、室外熱交換器１５、膨張手段、室内熱交換器を有する冷凍サイクル回路に、１，１，２−トリフルオロエチレンを含む作動媒体を封入し、かつ、前記圧縮機１６を収納した室外機１２に圧縮機収納空間１２３と圧縮室収納室外とを連通する連通部１２９を設けた構成としてある。これにより、圧縮機内で不均化反応が生じ圧縮機が破損して作動媒体の煤が圧縮機収納空間内に吐出拡散した際、この煤は室外機に設けた連通部から室外機の外へと排出される。したがって、室外機の室外機本体と天板や前板との間の隙間から煤が勢いよく吹き出すことによって使用者が受ける不安感を解消することができ、信頼性を向上させることができる。【選択図】図５
2019163864.tif 000002
【特許請求の範囲】
【請求項１】
圧縮機、室外熱交換器、膨張手段、室内熱交換器を有する冷凍サイクル回路に、１，１，２−トリフルオロエチレンを含む作動媒体を封入し、かつ、前記圧縮機を収納した室外機に圧縮機収納空間と圧縮機収納空間外とを連通する連通部を設けた冷凍サイクル装置。
【請求項２】
室外機は室外機本体内に圧縮機、室外熱交換器を備え、前記圧縮機と室外熱交換器との間を仕切板で区切って圧縮機収納空間を形成し、この圧縮機収納空間に前記圧縮機を設けた請求項１記載の冷凍サイクル装置。
【請求項３】
連通部は圧縮機収納空間を構成する部材同士が向き合って形成する隙間の総和面積よりも大きな面積とした請求項１または２記載の冷凍サイクル装置。
【請求項４】
連通部は圧縮機の最下部より上方に設けた請求項１〜３のいずれか１項記載の冷凍サイクル装置。
【請求項５】
連通部は室外機本体の背面に設けた請求項１〜４のいずれか１項記載の冷凍サイクル装置。
【請求項６】
圧縮機は不均化反応が生じる過度な圧力を外部に逃がす圧力逃がし部を設けた請求項１〜５のいずれか１項記載の冷凍サイクル装置。
【請求項７】
作動媒体に不均化抑制剤を添加した請求項１〜６のいずれか１項記載の冷凍サイクル装置。
【発明の詳細な説明】
【技術分野】
【０００１】
本発明は、ＨＦＯ１１２３を含む作動媒体を用いる冷凍サイクル装置に関する。
【背景技術】
【０００２】
一般に、空気調和機等の冷凍サイクル装置は、圧縮機、必要に応じて四方弁、放熱器（または凝縮器）、キャピラリーチューブや膨張弁等の減圧器、蒸発器、等を配管接続して冷凍サイクルを構成し、その内部に作動媒体（冷媒）を循環させることにより、冷却または暖房作用を行っている。
【０００３】
これらの冷凍サイクル装置における作動媒体としては、フロン類（フロン類はＲ○○またはＲ○○○と記すことが、米国ＡＳＨＲＡＥ３４規格により規定されている。以下、Ｒ○○またはＲ○○○と示す）と呼ばれるメタンまたはエタンから誘導されたハロゲン化炭化水素が知られている。
【０００４】
上記のような冷凍サイクル装置用作動媒体としては、Ｒ４１０Ａが多く用いられているが、Ｒ４１０Ａ冷媒の地球温暖化係数（ＧＷＰ）は２０９０と大きく、地球温暖化防止の観点から問題がある。
【０００５】
そこで、地球温暖化防止の観点からは、ＧＷＰの小さな作動媒体として、例えば、ＨＦＯ１１２３（１，１，２−トリフルオロエチレン）や、ＨＦＯ１１３２（１，２−ジフルオロエチレン）が提案されている（例えば、特許文献１または特許文献２参照）。
【先行技術文献】
【特許文献】
【０００６】
【特許文献１】国際公開第２０１２／１５７７６４号
【特許文献２】国際公開第２０１２／１５７７６５号
【発明の概要】
【発明が解決しようとする課題】
【０００７】
しかしながら、ＨＦＯ１１２３（１，１，２−トリフルオロエチレン）や、ＨＦＯ１１３２（１，２−ジフルオロエチレン）は、Ｒ４１０Ａなどの従来の作動媒体に比べて安定性が低く、ラジカルを生成した場合、不均化反応により別の化合物に変化する恐れがある。不均化反応は大きな熱放出を伴って圧力上昇するため、圧縮機や冷凍サイクル装置の信頼性を低下させる恐れがある。このため、ＨＦＯ１１２３やＨＦＯ１１３２を圧縮機や冷凍サイクル装置に用いる場合には、この不均化反応を抑制する必要がある。
【０００８】
このような不均化反応は、過度に高温高圧となった雰囲気下にて、高エネルギが付加されると、これが起点となって発生する。
【０００９】
例えば、一例を挙げると、正常な運転条件下ではない状態、すなわち、凝縮器側の送風ファン停止、冷凍サイクル回路の閉塞等によって、吐出圧力（冷凍サイクルの高圧側）が過度に上昇する。
【００１０】
このような状態下で圧縮機のロック異常が生じ、このロック異常下においても、圧縮機への電力供給を続けられると、圧縮機の電動機へ電力が過剰に供給され、電動機が異常に発熱する。その結果、電動機の固定子を構成する固定子巻線の絶縁が溶融破壊されて導線同士でレイヤーショートと呼ばれる現象を引き起こし、これが高エネルギ源となって不均
化反応を誘起することになる。
【００１１】
そして、不均化反応が発生すると圧縮機が破損し、作動媒体が煤となって圧縮機を収納している室外機の室外機本体と天板や前板の間の隙間から大気中に吹き出し、使用者が不安を感じる等信頼性が大きく低下する。
【００１２】
本発明はこのような点に鑑みてなしたもので、ＨＦＯ１１２３を含む作動媒体を用いた空気調和機の不均化反応発生時の信頼性を向上させることを目的としたものである。
【課題を解決するための手段】
【００１３】
本発明は、上記目的を達成するため、圧縮機、室外熱交換器、膨張手段、室内熱交換器を有する冷凍サイクル回路に、１，１，２−トリフルオロエチレンを含む作動媒体を封入して構成した空気調和機であって、前記圧縮機を収納した空気調和機の室外機に圧縮機収納空間と圧縮機収納空間外とを連通する連通部を設けた構成としてある。
【００１４】
これにより、圧縮機内で不均化反応が生じ圧縮機が破損して作動媒体が煤となって圧縮機収納空間内に吐出拡散した際、この煤は室外機に設けた連通部から室外機の外へと排出される。したがって、室外機の室外機本体と天板や前板との間の隙間から煤が勢いよく吹き出すことによって使用者が受ける不安感を解消することが出る。また、煤の排出箇所を連通部に特定できるので、煤排出の可能性があることを告知しておくなどすれば使用者が受ける不安感を和らげ、かつ、煤の排出により使用者に危害を与えるようなことを防止することができる。
【発明の効果】
【００１５】
本発明は、上記構成により、不均化反応発生時の煤の吹き出しにより使用者が受ける不安感を和らげ、かつ、使用者に危害を与えるようなことを防止でき、ＨＦＯ１１２３を含む作動媒体を用いた空気調和機の信頼性を向上させることができる。
【図面の簡単な説明】
【００１６】
【図１】本発明の実施の形態１に係る冷凍サイクル装置としての空気調和機の概略構成図
【図２】同実施の形態１に係る空気調和機の圧縮機を示す断面図
【図３】同実施の形態１に係る空気調和機の室外機を示す正面図
【図４】同実施の形態１に係る空気調和機の室外機を示す分解斜視図
【図５】同実施の形態１に係る空気調和機の室外機を示す平面図
【図６】同実施の形態２に係る空気調和機の室外機部分での動作を説明する概略断面図
【図７】同実施の形態２に係る空気調和機の室外機部分での動作を説明する概略平面図
【図８】同実施の形態２に係る空気調和機の圧縮機に設けた圧力逃がし機構の説明図
【発明を実施するための形態】
【００１７】
第１の発明は、圧縮機、室外熱交換器、膨張手段、室内熱交換器を有する冷凍サイクル回路に、１，１，２−トリフルオロエチレンを含む作動媒体を封入して構成した空気調和機であって、前記圧縮機を収納した空気調和機の室外機に圧縮機収納空間と圧縮機収納空間外とを連通する連通部を設けた構成としてある。
【００１８】
これにより、圧縮機内で不均化反応が生じ圧縮機が破損して作動媒体が煤となって圧縮機収納空間内に吐出拡散した際、この煤は室外機に設けた連通部から室外機の外へと排出される。したがって、室外機の室外機本体と天板や前板との間の隙間から煤が勢いよく吹
き出すことによって使用者が受ける不安感を解消することが出る。また、煤の排出箇所を連通部に特定できるので、煤排出の可能性があることを告知しておくなどすれば使用者が受ける不安感を和らげ、かつ、煤の排出により使用者に危害を与えるようなことを防止することができる。
【００１９】
第２の発明は、第１の発明において、前記室外機は室外機本体内に圧縮機、室外熱交換器を備え、前記圧縮機と室外熱交換器との間を仕切板で区切って圧縮機収納空間を形成し、この圧縮機収納空間に前記圧縮機を設けた構成としてある。
【００２０】
これにより、圧縮機から吐出した煤が熱交換器を収納している部分に吹き出して熱交換器を煤で汚染してしまうことを防止でき、熱交換器の再使用を可能とすることができる。
【００２１】
第３発明は、第１または第２の発明において、前記連通部は圧縮機収納空間を構成する部材同士が向き合って形成する隙間の総和面積よりも大きな面積とした構成としてある。
【００２２】
これにより、圧縮機から圧縮機収納空間に吐出した煤は連通部から室外機外に吹き出すことになるので、圧縮機収納空間を構成する部材同士が向き合って形成する隙間、すなわち室外機の室外機本体と天板や前板との間の隙間から煤が勢いよく吹き出すことを防止でき、使用者が受ける不安感を解消することが出る。
【００２３】
第４の発明は、第１または第２の発明において、前記連通部は圧縮機の最下部より上方に設けた構成としてある。
【００２４】
これにより、室外機の底面に溜まるドレン水等によって連通部が塞がれるような問題を未然に防止でき、連通部からの煤の排出を確実なものとすることができる。
【００２５】
第５の発明は、第１〜第４の発明において、前記連通部は室外機本体の背面に設けた構成としてある。
【００２６】
これにより、煤の排出を室外機後方の家屋の壁面側に特定することができ、室外機の周辺、すなわち前方及び側方にいる使用者に煤が吹きかかるような恐れを確実に防止することができる。
【００２７】
第６の発明は、第１〜第５の発明において、前記圧縮機は不均化反応が生じる過度な圧力を外部に逃がす圧力逃がし部を設けた構成としてある。
【００２８】
これにより、圧縮機自体の極端な破損を防止でき、安全性を高めることができるとともに、不均化反応の急激な進行を抑制して煤の発生量、すなわち、連通部からから室外機外に排出される煤の排出量を抑制でき、使用者の不安感を更に低減することができる。
【００２９】
第７の発明は、第１〜第６の発明において、前記作動媒体に不均化抑制剤を添加した構成としてある。
【００３０】
これにより、不均化反応を抑制して圧縮機自体の破損を未然に防止し安全性を一段と高めることができるとともに、不均化反応の急激な進行を防止できるので、煤の発生量、すなわち、連通部からから室外機外に排出される煤の排出量を少なくでき、使用者の不安感を更に低減することができる。
【００３１】
以下、本発明の実施の形態について図面を参照しながら説明する。なお、この実施の形態によって本発明が限定されるものではない。
【００３２】
（実施の形態１）
図１は本発明の実施の形態１に係る冷凍サイクル装置の概略構成図、図２は同冷凍サイクル装置に用いた圧縮機の断面図である。
【００３３】
本実施の形態の冷凍サイクル装置１０は、空気調和機として使用され、図１に示すように、室内機１１および室外機１２、並びにこれらを接続する配管１３を備えており、室内機１１は蒸発器或いは凝縮器として使用される室内熱交換器１４を備え、室外機１２は凝縮器或いは蒸発器として使用される室外熱交換器１５、圧縮機１６、膨張手段１７、及び制御器１８を備えている。
【００３４】
室内機１１の室内熱交換器１４と室外機１２の室外熱交換器１５とは、配管１３で環状に接続され、これにより冷凍サイクルが形成されている。具体的には、室内機１１の室内熱交換器１４、圧縮機１６、室外機１２の室外熱交換器１５、膨張手段１７の順で配管１３により環状に接続されている。また、室内熱交換器１４、圧縮機１６、および室外熱交換器１５を接続する配管１３には、冷暖房切換用の四方弁１９が設けられている。なお、室内機１１は、図示しない送風ファン、温度センサ、操作部等を備えており、室外機１２は、図示しない送風機、アキュームレータ等を備えている。さらに、配管１３には、図示しない各種弁装置（四方弁１９も含む）、ストレーナ等が設けられている。
【００３５】
室内機１１が備える室内熱交換器１４は、送風ファンにより室内機１１の内部に吸い込まれた室内空気と、室内熱交換器１４の内部を流れる作動媒体との間で熱交換を行う。室内機１１は、暖房時には熱交換により暖められた空気を室内に送風し、冷房時には熱交換により冷却された空気を室内に送風する。室外機１２が備える室外熱交換器１５は、送風機により室外機１２の内部に吸い込まれた外気と室外熱交換器１５の内部を流れる作動媒体との間で熱交換を行う。
【００３６】
図２は上記冷凍サイクル回路に用いられる圧縮機１６を示し、この圧縮機１６は、本実施の形態では密閉型のロータリ式圧縮機によって構成されており、密閉容器１６１の内部に、電動機部１６２と圧縮機構部１６３が収納され、内部は高温高圧の作動媒体と潤滑油で満たされ、底部は潤滑油を溜める貯油部１６４となっている。
【００３７】
電動機部（モータ）１６２は、所謂ブラシレス・モータであり、圧縮機構部１６３のクランクシャフト１６５に接続された回転子１６６と、回転子１６６の周囲に設けられた固定子１６７とを備えている。
【００３８】
回転子１６６は、回転子鉄心に永久磁石を装着一体化して構成されている。また、固定子１６７は、固定子鉄心に絶縁紙１６９を介して固定子巻線１７０を集中巻して構成されている。固定子巻線１７０からはリード線１７１が吐き出してあり、リード線１７１の他端は給電ターミナル１７２に接続されている。給電ターミナル１７２は、３つの端子を備え、それぞれの端子は、インバータ式の制御器１８（図１参照）に接続されている。
なお、固定子巻線１７０を分布巻きにして構成してもよい。
【００３９】
制御器１８は、外部電源２０（図１参照）から電源供給を受けてスイッチング素子により、回転子１６６に回転磁界が発生するよう固定子巻線１７０に電流を流している。回転磁界は、インバータにより可変され、圧縮機１６の運転開始直後等には高速で、安定運転時等には低速で運転可能となっている。
【００４０】
圧縮機構部１６３は、圧縮室１７３を形成するシリンダ１７４と、シリンダ１７４内の圧縮室１７３に配置したローリングピストン１７５を有している。ローリングピストン１
７５は、前記クランクシャフト１６５の回転によりベーン（図示せず）に当接しながら圧縮室内で回転運動し、吸入管１７９から作動媒体を吸引して圧縮する。
【００４１】
圧縮した作動媒体は、吐出マフラー１７６から密閉容器１６１内の吐出作動媒体空間１７７に吐出され、吐出管１７８から圧縮機構部１６３の外へと吐出される。また、上記圧縮室１７３での液圧縮を防止するため、吸入管１７９にはアキュームレータ１８０が設けられている。
【００４２】
図３は上記構成の空気調和機における室内機１１の具体例を示す正面図、図４は同室内機１１の分解斜視図、図５は同室外機の平面図で、前記圧縮機１６は室外機本体１２１内に仕切板１２２によって仕切られた圧縮機収納空間１２３内に設置してある。圧縮機収納空間１２３の上部には制御器１８を収容した制御収納室１２４が設けてあり、その上方は室外機本体１２１の上部に覆着した天板１２５によって覆われている。また、圧縮機収納空間１２３の隣は室外熱交換器１５と送風機２１が設置してあり、その前面は圧縮機収納空間１２３の前面とともに室外機本体１２１の前面に装着した前板１２６によって覆ってある。また、前記圧縮機収納空間１２３を形成する室外機本体１２１の側面には側壁カバー１２７が着脱自在に装着してある。
【００４３】
以上のように構成された空気調和機は、その冷凍サイクル回路内に作動媒体（冷媒）が封入されている。本実施の形態の作動媒体は、冷媒成分として、少なくとも１，１，２−トリフルオロエチレン（ＨＦＯ１１２３）を含有している。１，１，２−トリフルオロエチレンは、次に示す式（１）の構造を有しており、エチレンの１位の炭素原子（Ｃ）に結合する２つの水素原子（Ｈ）がフッ素（Ｆ）に置換されているとともに、２位の炭素原子に結合する２つの水素原子のうち一方がフッ素に置換されている構造を有している。
【００４４】
【化１】
2019163864.tif 000003
１，１，２−トリフルオロエチレンは、炭素−炭素二重結合を含む。大気中のオゾンは、光化学反応によってヒドロキシルラジカル（ＯＨラジカル）を生成するが、このヒドロキシルラジカルにより二重結合が分解されやすい。そのため、１，１，２−トリフルオロエチレンは、オゾン層破壊および地球温度化への影響が少ないものとなっている。
【００４５】
しかしながら、１，１，２−トリフルオロエチレンは、この良好な分解性により既述した如く高温高圧条件下でレイヤーショート等の高エネルギが付加されると急激な不均化反応を引き起こす。この不均化反応は、１，１，２−トリフルオロエチレンの分子が分解する自己分解反応が発生するとともに、この自己分解反応に続いて、分解により生じた炭素が重合して煤となる重合反応等が発生する。よって、凝縮器側の送風ファン停止、冷凍サイクル回路の閉塞等により高温高圧状態になって圧縮機１６がロック状態にもかかわらず固定子巻線１７０に通電が継続されて巻線が異常発熱したり、絶縁破壊されてレイヤーショートが生じるなどすると、活性ラジカルが発生し、この活性ラジカルと１，１，２−トリフルオロエチレンとが反応して前述した不均化反応が発生する。
【００４６】
上記不均化反応は発熱を伴うことから、この発熱により活性ラジカルが発生し、さらに、この活性ラジカルにより不均化反応が誘発される。このように、活性ラジカルの発生と不均化反応の発生とが連鎖することで、不均化反応が急激に進行し、圧縮機１６内の圧力が０．２ｓｅｃ程度で急激に上昇して、ついには圧縮機１６の破損に至る。
【００４７】
圧縮機１６が破損に至ると、圧縮機１６内で不均化反応を起こした作動媒体が煤となって圧縮機１６を収納している室外機１２内に吐出拡散し、既述した如く室外機１２の圧縮機収納空間１２３の隙間、例えば室外機本体１２１と天板１２５や前板１２６との間から吹き出すような形となる。その結果、使用者は大きな不安を感じることになる。また、室外機本体１２１、天板１２５、前板１２６の煤が吹き出した部分及びその近傍は煤が付着するため、圧縮機交換等のメンテナンス時に室外機本体１２１、天板１２５、前板１２６からなる筐体そのものまで交換しなければならなくなる。
【００４８】
そこで本実施の形態の空気調和機では、前記圧縮機収納空間１２３に室外機１２の外、すなわち大気と連通する連通部を設けてある。具体的には、図４に示すように、圧縮機収納空間１２３を構成する室外機本体１２１の側壁１２８及び側壁カバー１２７に連通部としての煤排出用の排気孔１２９が設けてある。
【００４９】
これにより、圧縮機１６内で不均化反応が生じ圧縮機１６が破損して作動媒体の煤が圧縮機収納空間１２３内に吐出拡散した際、この煤は室外機本体１２１の側部、すなわち側壁１２８及び側壁カバー１２７に設けた排気孔１２９から室外機１２の外へと排出される。よって、室外機１２の室外機本体１２１と天板１２５や前板１２６との間の隙間から吹き出すようなことを防止できる。
【００５０】
したがって、室外機１２の室外機本体１２１と天板１２５や前板１２６との間の隙間から煤が勢いよく吹き出すことによって受ける不安感を解消することができる。
【００５１】
また、上記排気孔１２９の近辺に注意書き、例えば「異常時に煤が放出されることがあります」という趣旨の注意書きをしておくことによって、排気孔１２９から煤が排出されることがあっても使用者に与える不安感を和らげ、かつ、煤の排出により使用者に危害を与えるようなことを防止することができる。
【００５２】
さらにまた、室外機本体１２１と天板１２５や前板１２６との間の隙間から吹き出す場合に生じる室外機本体１２１、天板１２５、前板１２６の隙間付近の煤汚れも防止することができ、圧縮機交換等のメンテナンス時に室外機本体１２１、天板１２５、前板１２６からなる筐体そのものを交換する必要がなくなって部品交換の費用負担を軽減することができる。
【００５３】
なお、上記排気孔１２９は、その孔面積を、圧縮機収納空間１２３を覆う天板１２５及
び前板１２６と室外機本体１２１との間に形成される隙間の総和面積よりも大きく形成しておくのが望ましい。つまり、圧縮機１６の周辺空間を区切る部材（室外機本体１２１と天板１２５、前板１２６等）同士が向き合って形成する隙間の面積の総和よりも、排気孔１２９の面積を大きく設定しておくのが好ましい。
【００５４】
これによって、圧縮機収納空間１２３に拡散した煤は開口面積の大きな排気孔１２９から室外機１２の外へとスムーズに排出されるようになり、室外機本体１２１と天板１２５や前板１２６との間の隙間からの吹き出しを確実に防止して、不安感の解消効果を上げ、かつ筐体の煤汚れも確実に防止できる。
【００５５】
また、上記排気孔１２９は本実施の形態では室外機１２の側部に設けたが、これは背面に設けてもよく、また、害虫等の侵入を防止するためネットを設けるか多数の小孔群としておくのが好ましい。
【００５６】
そして、上記排気孔１２９を室外機本体１２１の背面に設けておけば、煤の排出を室外機の後方に特定することができ、室外機１２の前面及び側面の周辺に使用者等がいてもこの使用者等に煤が吹きかかるような恐れを確実に防止することができる。つまり、排気孔１２９を使用者等がいることのできない室外機後方の家屋の壁面側に設けておくことにより、使用者に対する煤危害を確実に防止することができる。
【００５７】
また、上記排気孔１２９は圧縮機１６の最下部よりも上方に設けておくのが好ましい。これにより、圧縮機１６の最下部よりも下方、例えば室外機１２の底面に設けた場合等に懸念される問題、すなわち室外機底面に溜まるドレン水等への水没による排気孔１２９の閉塞等を未然に防止でき、排気孔１２９からの煤の排出を確実なものとすることができる。
【００５８】
（実施の形態２）
図６は実施の形態２における空気調和機の室外機を示す概略構成図、図７は同室外機の概略平面図、図８は同圧縮機に設けた圧力逃がし機構の説明図である。
【００５９】
図６〜図８に示すように、本実施の形態においては、上記圧縮機１６に作動媒体の不均化反応で急上昇する圧力を逃がす圧力逃し機構１８１が設けてある。この圧力逃し機構１８１は、例えば図８に示すように給電ターミナル１７２の溶接部１８２の強度を弱くすることによって構成してある。
【００６０】
これによって、圧縮機１６内で圧力が上昇して不均化反応が生じると、その圧力で圧力逃し機構１８１となる給電ターミナル１７２の溶接個所が外れ、給電ターミナル１７２の溶接外れ部分から圧力が放出されて、圧縮機１６内の作動媒体の圧力が瞬時に低下する。したがって、圧縮機１６の密閉容器自体の極端な破損を防止でき、安全性を高めることができる。また、不均化反応の急激な進行を抑制して煤の発生量、すなわち、排気孔１２９からから排出される煤の排出量を少なくすることができ、使用者の不安感を更に低減することができる。
【００６１】
また、図６に示すように、圧力逃し機構１８１近傍から排気孔１２９に向けてガイド部材１８３を設けておくことによって、圧縮機１６の圧力逃し機構１８１から吐出する煤を排気孔１２９へと案内してスムーズに室外機１２の外へと排出させることもでき、室外機本体１２１、天板１２５、前板１２６の隙間から煤が空きだすのをより確実に防止することができる。
【００６２】
また、排気孔１２９の外側に煤排出ガイド１８４を設けておくことによって煤が使用者
に向かって吹き出すことを防止でき、煤による危害を確実に防止することができる。
【００６３】
なお、上記圧力逃し機構１８１は、上記構成に限られるものではなく、吐出管１７８の溶接部分の強度を弱くして構成したり、別途圧力調整弁を設ける等して構成してもよいものである。
【００６４】
（実施の形態３）
本実施の形態３は、冷凍サイクル回路内に封入した作動媒体、すなわち、１，１，２−トリフルオロエチレン（ＨＦＯ１１２３）を含有した作動媒体に、１，１，２−トリフルオロエチレン（ＨＦＯ１１２３）の不均化反応を抑制する不均化抑制剤を添加したものである。
【００６５】
例えば、上記不均化抑制剤は、次に示す式（２）
Ｃ2ＨmＸn  ・・・  （２）
（ただし、式（２）におけるＸは、Ｆ，Ｃｌ，Ｂｒ，Ｉからなる群より選択されるハロゲン原子であり、ｍは０以上の整数であるとともにｎは１以上の整数であり、さらに、ｍおよびｎの和は６であり、ｎが２以上のときＸは同一または異なる種類のハロゲン原子である。）に示す構造を有するハロエタン（ＸがＦのみの場合を除く）である。
【００６６】
上記のように、１，１，２−トリフルオロエチレンを含有する冷媒成分に前記した不均化抑制剤を添加することにより、前記式（２）に示すハロエタンが、不均化反応の連鎖分岐反応を引き起こすフッ素ラジカル、フルオロメチルラジカル、およびフルオロメチレンラジカル等のラジカルを良好に捕捉する。
【００６７】
そのため、１，１，２−トリフルオロエチレンの不均化反応を有効に抑制したり、不均化反応の急激な進行を緩和したりすることができる。
【００６８】
したがって、圧縮機自体の破損を未然に防止して安全性を一段と高めることができるとともに、不均化反応の急激な進行を抑制できるので、煤の発生量、すなわち、排気孔１２９からから排出される煤の排出量を大幅に抑制でき、使用者の不安感を更に低減することができる。
【００６９】
また、上記この不均化反応を抑制する不均化抑制剤としては、更に次のようなものであってもよい。
【００７０】
すなわち、炭素数２〜５の飽和炭化水素と、炭素数１または２であってハロゲン原子が全てフッ素の場合を除くハロアルカンと、からなるものである。
【００７１】
前記不均化抑制剤によれば、飽和炭化水素およびハロアルカンが、１，１，２−トリフルオロエチレンの不均化反応で生じるフッ素ラジカル、フルオロメチルラジカル、およびフルオロメチレンラジカル等のラジカルを良好に捕捉することができる。そのため、１，１，２−トリフルオロエチレンの不均化反応を有効に抑制したり、不均化反応の急激な進行を緩和したりすることができる。しかも、飽和炭化水素単独、または、ハロアルカン単独を不均化抑制剤として添加する場合よりも少ない量で不均化反応の抑制または進行の緩和を実現することも可能となる。その結果、作動媒体およびこれを用いた冷凍サイクル装置の信頼性を向上させることができる。
【００７２】
（実施の形態４）
本実施の形態は、前記各実施の形態の構成に加え、例えば圧縮機収納空間１２３に作動媒体による煤の吐出を検知する検知手段、例えば煤が高温であるので温度センサを設けて
おき、圧縮機収納空間１２３内の温度が所定温度以上になればこれを室内機側で表示させるようにしてある。
【００７３】
このようにすることにより、空気調和機が異常停止した場合、その異常停止の原因が不均化反応によるものであることを使用者に知らせることができる。したがって、不均化反応による不安感の低減だけでなく、その原因を明確にして使用者に安心感を与えることができ、好適である。
【００７４】
以上、本発明について冷凍サイクル装置を空気調和機とした場合を例にして説明したが、これは圧縮機、凝縮器、膨張手段、および蒸発器等の構成要素が配管にて接続され、かつ、室外機を有する冷凍サイクル装置であれば具体的な適用例は特に限定されず、例えば、ヒートポンプ式給湯機等であってもよいものである。
【００７５】
また、本実施の形態では、圧縮機として、ロータリ式圧縮機を例にして説明したが、これは他の圧縮形式、例えば、スクロール式、レシプロ式などの容積式圧縮機、もしくは、遠心式圧縮機等、いずれの圧縮機であってもよいものである。
【産業上の利用可能性】
【００７６】
上述したように本発明は、不均化反応発生時の煤の吹き出しにより使用者が受ける不安感を和らげ、かつ、使用者に危害を与えるようなことを防止でき、ＨＦＯ１１２３を含む作動媒体を用いた冷凍サイクル装置の信頼性を向上させることができる。よって、住居及び業務用の各エアコン、ヒートポンプ式給湯機等に幅広く適用することができる。
【符号の説明】
【００７７】
１０  冷凍サイクル装置
１１  室内機
１２  室外機
１３  配管
１４  室内熱交換器
１５  室外熱交換器
１６  圧縮機
１７  膨張手段
１８  制御器
１９  四方弁
２０  外部電源
２１    送風機
１２１  室外機本体
１２２  仕切板
１２３  圧縮機収納空間
１２４  制御収納室
１２５  天板
１２６  前板
１２７  側壁カバー
１２８  側壁
１２９  排気孔（連通部）
１６１  密閉容器
１６２  電動機部
１６３  圧縮機構部
１６４  貯油部
１６５  クランクシャフト
１６６  回転子
１６７  固定子
１６９  絶縁紙
１７０  固定子巻線
１７１  リード線
１７２  給電ターミナル
１７３  圧縮室
１７４  シリンダ
１７５  ローリングピストン
１７６  吐出マフラー
１７７  吐出作動媒体空間
１７８  吐出管
１７９  吸入管
１８０  アキュームレータ
１８１  圧力逃し機構
１８２  溶接部
１８３  ガイド部材
１８４  煤排出ガイド
【図１】
2019163864.tif 000004
【図２】
2019163864.tif 000005
【図３】
2019163864.tif 000006
【図４】
2019163864.tif 000007
【図５】
2019163864.tif 000008
【図６】
2019163864.tif 000009
【図７】
2019163864.tif 000010
【図８】
2019163864.tif 000011